(57)【要約】 【課題】電子機器における、使用者の使用勝手の向上。【解決手段】電子機器は、動作モードに応じて操作可能な、言い換えれば、使用者からの操作が有効となる操作ボタン１８ａ〜１８ｃもしくは操作キー２０ａ〜２０ｉの背面にあるＬＥＤ４０ａ〜４０ｌを発光状態にさせることによって、使用者からの操作が無効となる操作ボタン１８ａ〜１８ｃもしくは操作キー２０ａ〜２０ｉを、使用者が誤って操作してしまう事態を抑制することが出来る。【選択図】図３
2011118838.tif 000002
【特許請求の範囲】
【請求項１】
静電容量の変化によって外部からの操作を検知する静電容量型の複数のタッチスイッチが配置された操作パネルと、
前記操作パネルの背面に該操作パネルを発光表示させる光源部と、
前記光源部を制御して、前記複数のタッチスイッチが配置されている夫々の位置で発光状態および／または非発光状態にせしめる光源制御手段と、
前記タッチスイッチが操作されることにより該タッチスイッチの夫々に対応する所定動作を実行する動作実行処理手段と、
本体機器の動作モードを選択するモード選択手段と、
前記モード選択手段において選択された動作モードに対応して、前記複数のタッチスイッチの操作を夫々有効状態および／または無効状態に設定し、前記光源制御手段に対して該有効状態であるタッチスイッチに対応する位置で発光状態になるよう前記光源部を制御せしめる動作モード制御手段と、
前記スイッチ設定手段において前記有効状態に設定されているタッチスイッチが操作されると、第１態様で前記外部へ報知を行う第１報知手段を備えることを特徴とする、電子機器。
【請求項２】
前記無効状態に設定されているタッチスイッチが操作されると、前記第１態様とは異なる第２態様で前記外部へ報知を行う第２報知手段を更に備えることを特徴とする、請求項１に記載の電子機器。
【請求項３】
前記操作パネルと同じ平面上に発光素子を更に備え、
前記第１態様は前記所定周期で前記発光素子が発光する態様であり、前記第２態様は、前記所定周期よりも短い周期で前記発光素子を発光させる態様であることを特徴とする、請求項１または請求項２に記載の電子機器。
【請求項４】
音声を出力する音声出力手段を更に備え、
前記第１態様は前記音声出力手段に第１音声を出力する態様であり、前記第２態様は前記音声出力手段に該第１音声とは異なる第２音声を出力する態様であることを特徴とする、請求項１乃至請求項３に記載のいずれかの電子機器。
【発明の詳細な説明】
【技術分野】
【０００１】
本発明は、特に静電容量の変化によって外部からの操作を検知する静電容量型の複数のタッチスイッチが配置された操作パネルを供えた電子機器に関する。
【背景技術】
【０００２】
デジタルカメラ、携帯型音楽プレーヤ、ＩＣレコーダ等の電子機器においては、大事な画像や音を、正確に録画や録音および再生する確実性が求められる。したがって、タクトスイッチやシートスイッチなど、スイッチ操作時にクリック感覚などの操作感覚のあるものが賞用されている。しかしながら、これらの電子機器は、使用者が携帯するケースが多く、製品の小型化、薄型化が要望されている。
【０００３】
これらの要望を応えるため、静電容量の変化によって外部からの操作を検知する静電容量型の複数のタッチスイッチが配置された操作パネルを搭載した電子機器が、開発されている。
【特許文献１】特開２００８−２３６７６５  特許文献１には、タッチパッドを備えた携帯型電子機器、特にデジタルカメラであって、該タッチパッドが、画像モニタに表示された項目及び被選択候補の選択及び入力、画像モニタに表示された画像の表示内容の操作、及び画像撮影時の撮影倍率の制御を行うタッチ入力部の一部を形成するものが記載されている。
【０００４】
上述したように、デジタルカメラ、携帯型音楽プレーヤ、ＩＣレコーダ等の電子機器においては、大事な画像や音を、正確に録画や録音および再生する確実性が求められるが、タッチスイッチを採用した電子機器においては、スイッチ操作時におけるクリック感覚などの操作感覚がないため、誤操作を防止するための対策が必要となる。
【発明の開示】
【発明が解決しようとする課題】
【０００５】
本発明は、上記の問題点を解決するもので、静電容量の変化によって外部からの操作を検知する静電容量型の複数のタッチスイッチが配置された操作パネルを搭載した電子機器において、使用者による操作の操作感覚を補助し、かつ誤操作を軽減することが出来る電子機器を提供するものである。
【課題を解決するための手段】
【０００６】
第１の発明の電子機器は、静電容量の変化によって外部からの操作を検知する静電容量型の複数のタッチスイッチが配置された操作パネルと、操作パネルの背面に操作パネルを発光表示させる光源部と、光源部を制御して、複数のタッチスイッチが配置されている夫々の位置で発光状態および／または非発光状態にせしめる光源制御手段と、タッチスイッチが操作されることにより該タッチスイッチの夫々に対応する所定動作を実行する動作実行処理手段と、本体機器の動作モードを選択するモード選択手段と、モード選択手段において選択された動作モードに対応して、複数のタッチスイッチの操作を夫々有効状態および／または無効状態に設定し、光源制御手段に対して該有効状態であるタッチスイッチに対応する位置で発光状態になるよう光源部を制御せしめる動作モード制御手段と、スイッチ設定手段において有効状態に設定されているタッチスイッチが操作されると、第１態様で外部へ報知を行う第１報知手段を備えることを特徴とする。
【０００７】
第２の発明の電子機器は、第１の発明の電子機器に従属し、無効状態に設定されているタッチスイッチが操作されると、第１態様とは異なる第２態様で外部へ報知を行う第２報知手段を更に備えることを特徴とする。
【０００８】
第３の発明の電子機器は、第１の発明または第２の発明の電子機器に従属し、操作パネルと同じ平面上に発光素子を更に備え、第１態様は所定周期で発光素子が発光する態様であり、第２態様は、所定周期よりも短い周期で発光素子を発光させる態様であることを特徴とする。
【０００９】
第４の発明の電子機器は、第１の発明乃至第３の発明のいずれかの電子機器に従属し、  音声を出力する音声出力手段を更に備え、第１態様は音声出力手段に第１音声を出力する態様であり、第２態様は音声出力手段に該第１音声とは異なる第２音声を出力する態様であることを特徴とする。
【発明の効果】
【００１０】
本発明の電子機器は、上記の問題点を解決するものであり、静電容量の変化によって外部からの操作を検知する静電容量型の複数のタッチスイッチが配置された操作パネルを搭載した電子機器において、使用者による操作の操作感覚を補助し、かつ誤操作を軽減することが出来る。
【図面の簡単な説明】
【００１１】
【図１】本実施例に係るＩＣレコーダ１０を示す外観図である。
【図２】本実施例に係るＩＣレコーダ１０の回路構成の一部を示すブロック図である。
【図３】本実施例に係るＩＣレコーダ１０の操作態様の一例を示す図解図である。
【図４】本実施例に係るＩＣレコーダ１０の操作態様の他の一例を示す図解図である。
【図５】本実施例に係るフラッシュメモリ３０に格納されているルックアップテーブルの一部を示すテーブルである。
【図６】本実施例に係るＩＣレコーダ１０の動作の一部を示すフローチャートである。
【図７】本実施例に係るＩＣレコーダ１０の動作の他の一部を示すフローチャートである。
【図８】本実施例に係るＩＣレコーダ１０の動作の他の一部を示すフローチャートである。
【図９】本実施例に係るＩＣレコーダ１０の動作の他の一部を示すフローチャートである。
【図１０】本実施例に係るＩＣレコーダ１０の動作の他の一部を示すフローチャートである。
【図１１】本実施例に係るフラッシュメモリ３０に格納されているルックアップテーブルの他の一部を示すテーブルである。
【発明を実施するための最良の形態】
【００１２】
以下、本発明の電子機器の一実施例として、ＩＣレコーダに実施した形態につき、図面に沿って具体的に説明する。
【００１３】
図１は、本実施例のＩＣレコーダ１０の外観図である。筐体の表面に液晶表示装置（ＬＣＤ部）１６と、筐体の表面に複数配置されたタクトスイッチで構成される操作ボタン群１８、および静電容量の変化によって外部からの操作を検知する静電容量型の複数のタッチスイッチが配置された操作パネル２０を備える。また、ＬＣＤ部１６の上部にはＬＥＤ１４ａを備える光源部１４および、２つのチャネルで音声を取り込むマイクロフォン１２ａおよび１２ｂを備える。使用者は、ＬＣＤ部１６に表示された画面を見ながら操作ボタン群１８または操作パネル２０を操作することにより、ＩＣレコーダ１０を作動させる。
【００１４】
操作ボタン群１８は、シーン／操作案内ボタン１８ａ、録音ボタン１８ｂおよび停止ボタン１８ｃを含む。シーン／操作案内ボタン１８ａが操作されると、ＬＣＤ部１６に録音シーン設定画面を表示させる、または操作案内画面を表示させる。録音ボタン１８ｂが操作されると、録音処理を開始する。録音処理中に録音ボタン１８ｂが操作されると、録音処理を一時停止し、一時停止中に操作されると、録音処理を再開する。
【００１５】
操作パネル２０は、メニュー操作中やリスト画面操作中にタッチすることによって、一つ前の画面に戻すための戻る／センテンス再生キー２０ａ、スピーカー２８から出力される音量を調整する、またはメニュー操作中やリスト画面操作中に同じ階層内の項目やファイル、またはフォルダを選択するための音量＋キー２０ｂおよび音量−キー２０ｈ、設定メニューを表示するためのメニューキー２０ｃ、音声再生中にファイルの頭出しやファイルの早送り早戻しをする、または停止中にフォルダ内のファイルを選択し、メニュー操作中やリスト画面操作中に一つ上（または下）の階層へ移動させるための早戻しキー２０ｄおよび早送りキー２０ｆ、ファイルを再生する、またはメニュー操作中やリスト画面操作中に、選択した内容を決定して、次の画面へ移すための再生／ＯＫキー２０ｅ、リスト画面に切り替えるためのリストキー２０ｇ、およびＩＣレコーダの録音、再生モードを切り替える、またはフォルダの選択画面へ移すためのモードキー２０ｉを含む。
【００１６】
図２は、ＩＣレコーダ１０のブロック図を示している。
【００１７】
ＩＣレコーダ１０は、マイクロフォン１２（１２ａおよび１２ｂ）を含み、マイクロフォン１２から集音されたアナログ音声信号が、マイクロフォン１２に接続されるコーデック２２へ入力される。コーデック２２は、入力されたアナログ音声信号をデジタル信号に変換し、所定のデジタル処理を施す。ＩＣレコーダ１０の全体を制御するＣＰＵ２４はバス４４と接続されており、コーデック２２でデジタル処理が施されたデジタル音声データをＳＤＲＡＭ４２へ一旦格納させる。バス４４には、光源部１４、コーデック２２、ＣＰＵ２４、フラッシュメモリ３０、ＬＣＤ部１６、ＤＳＰ（Digital Signal Processor)３４、外部メモリコントローラ３６、光源部４０およびＳＤＲＡＭ４２が接続されており、フラッシュメモリ３０には、ＣＰＵ２４が実行するプログラム、および該プログラムを実行するためのパラメータ等が記憶されている。
【００１８】
また、操作ボタン群１８および操作パネル２０は、ＣＰＵ２４と接続されており、操作ボタン群１８および操作パネル２０で操作されると、ＣＰＵ２４が操作内容を把握し、操作内容に対応したプログラムを実行する。
【００１９】
ＳＤＲＡＭ４２に一旦格納されたデジタル音声データは、ＤＳＰ３４へ出力される。ＤＳＰ３４は、入力されたデジタル音声データに対してＭＰ３形式で圧縮処理を施し、ＳＤＲＡＭ４２へ音声ファイルとして一旦格納する。ＣＰＵ２４は、外部メモリコントローラ３６を制御して、ＳＤＲＡＭ４２に格納されている音声ファイルを外部メモリカード３８へ記録する。上述した集音から記録までの処理を録音処理と定義する。
【００２０】
再生／ＯＫキー２０ｅが操作されることにより、音声再生処理が実行される。具体的には、外部メモリカード３８に記録されているＭＰ３形式の音声ファイルが、ＳＤＲＡＭ４２へ一旦格納され、ＤＳＰ３４において伸張処理が施される。伸張処理が施されたデジタル伸張音声信号は、再びＳＤＲＡＭ４２へ格納され、コーデック２２へ出力される。コーデック２２では、デジタル伸張音声信号がアナログ伸張音声信号に変換され、アンプ２６へ出力されることによって増幅処理が施される。そして、スピーカ２８へ出力される。
【００２１】
操作ボタン群１８および操作パネル２０の背面には、ＬＥＤ４０ａ〜４０ｌを備える光源部４０が配置されている。具体的には、ＬＥＤ４０ａ〜４０ｌは、操作ボタン群１８を構成する操作ボタン１８ａ〜１８ｃ、および操作パネル２０を構成する操作キー２０ａ〜２０ｉの位置する箇所の背面に夫々配置され、ＬＥＤ４０ａ〜４０ｌが発光することにより、操作ボタン１８ａ〜１８ｃおよび操作キー２０ａ〜２０ｉを示す夫々のマークが表示される。マークとは、例えば、図１に示す操作キー２０ａに対応する“ＢＡＣＫ”など、文字や図形で表示されているものである。
【００２２】
本実施例におけるＩＣレコーダ１０は、使用者に操作ボタン群１８および操作パネル２０が操作されることによって移行された夫々の動作モードに応じて、操作ボタン群１８（１８ａ〜１８ｃ）および操作パネル２０（２０ａ〜２０ｉ）の背面に夫々配置されるＬＥＤ４０ａ〜４０ｌが夫々発光状態または非発光状態に遷移する。
【００２３】
具体的には、操作ボタン１８ａの背面にＬＥＤ４０ａが配置され、操作ボタン１８ｂの背面にＬＥＤ４０ｂが配置され、操作ボタン１８ｃの背面にＬＥＤ４０ｃが配置される。そして、操作キー２０ａの背面にＬＥＤ４０ｄが配置され、操作キー２０ｂの背面にＬＥＤ４０ｅが配置され、操作キー２０ｃの背面にＬＥＤ４０ｆが配置され、操作キー２０ｄの背面にＬＥＤ４０ｇが配置される。操作キー２０ｅの背面にＬＥＤ４０ｈが配置され、操作キー２０ｆの背面にＬＥＤ４０ｉが配置され、操作キー２０ｇの背面にＬＥＤ４０ｊが配置され、操作キー２０ｈの背面にＬＥＤ４０ｋが配置され、操作キー２０ｉの背面にＬＥＤ４０ｌが配置される。
【００２４】
本実施例における動作モードとは、例えば停止ボタン１８ｃが操作されることによって停止状態となったものや、シーン／操作案内ボタン１８ａが操作されることによって、使用者がこれから録音するシーンに最適な録音設定が為されたシーン設定を選択するシーンセレクト設定状態になったものや、録音ボタン１８ｂが操作されることによって録音状態になったものなどを指す。
【００２５】
図５は、動作モード（停止状態、シーンセレクト設定状態および録音状態等）と、ＬＥＤ４０ａ〜４０ｌの発光状態の有効または無効状態の関係を示したルックアップテーブルＡである。ルックアップテーブルＡは、フラッシュメモリ３０に格納されている。ＣＰＵ２４は、本体機器に電源が投入されるとルックアップテーブルＡを参照して、発光状態が有効化されている、つまり発光状態にすべきＬＥＤ４０ａ〜４０ｌを決定し、光源部４０へ通知し、発光状態にすべきＬＥＤ４０ａ〜４０ｌを、発光ＬＥＤリストに登録させる。光源部４０は、登録された発光ＬＥＤリストに従って、発光すべきＬＥＤ４０ａ〜４０ｌを発光状態にせしめる。
【００２６】
ここで発光状態にすべきＬＥＤ４０ａ〜４０ｌとは、現在の動作モードにおける操作可能な操作ボタン１８ａ〜１８ｃおよび操作キー２０ａ〜２０ｉの背面にあるＬＥＤ４０ａ〜４０ｌである。このように、動作モードに応じて操作可能な、言い換えれば、使用者からの操作が有効となる操作ボタン１８ａ〜１８ｃもしくは操作キー２０ａ〜２０ｉの背面にあるＬＥＤ４０ａ〜４０ｌを発光状態にさせることによって、使用者からの操作が無効となる操作ボタン１８ａ〜１８ｃもしくは操作キー２０ａ〜２０ｉを、使用者が誤って操作してしまう事態を抑制することが出来る。
【００２７】
また、現在の動作モードにおいて操作可能な操作ボタン１８ａ〜１８ｃおよび操作キー２０ａ〜２０ｉが、使用者によって操作されると、ＣＰＵ２４は光源部１４を制御して、ＬＥＤ１４ａを操作１回に対して１回のみ第１所定期間発光させる。また、ＬＥＤ１４ａの発光に伴って、ＣＰＵ２４はフラッシュメモリ３０に格納されている第１ビープー音データを読み出して、コーデック２２へ入力しアナログ音声信号に変換させる。コーデック２２はアンプ２６へアナログ音声信号を出力し、アンプ２６にてアナログ音声信号に対して適正な音声となるように増幅処理を施す。そして、スピーカ２８へ出力されることによって、第１ビープー音が発生する。第１ビープー音は、例えば、使用者が“ピッ”と視認出来るような音である。
【００２８】
操作可能ではない、つまり操作が無効となる操作ボタン１８ａ〜１８ｃおよび操作キー２０ａ〜２０ｉが、使用者によって操作されると、ＣＰＵ２４は光源部１４を制御してＬＥＤ１４ａを操作１回に対して第１所定期間に２回発光させる。また、ＬＥＤ１４ａの発光に伴って、ＣＰＵ２４はフラッシュメモリ３０に格納されている第１ビープー音データとは異なる第２ビープー音データを読み出して、コーデック２２へ入力しアナログ音声信号に変換させる。コーデック２２は、アンプ２６へ変換されたアナログ音声信号を出力し、アンプ２６にてアナログ音声信号に対して適正な音声となるように増幅処理を施し、スピーカ２８へ出力することによって、スピーカ２８から第２ビープー音が出力される。第２ビープー音は、例えば、使用者が“ブブッ”と視認出来るような音である。
【００２９】
このように、有効となる操作ボタン１８ａ〜１８ｃおよび操作キー２０ａ〜２０ｉが操作された場合と、無効となる操作ボタン１８ａ〜１８ｃおよび操作キー２０ａ〜２０ｉが操作された場合とで、ＬＥＤ１４aの発光状態およびスピーカ２８から出力される音を異ならしめることによって、使用者が本体機器への操作の反応を視覚的および聴覚的に把握することが出来る。
【００３０】
図３は各動作モードにおけるＬＥＤ１４ａおよびＬＥＤ４０ａ〜４０ｌの発光状態を示しており、図３（Ａ）は動作モードが停止状態であるとき、図３（Ｂ）は動作モードがシーンセレクト設定状態であるとき、図３（Ｃ）は動作モードが録音状態であるときのＬＥＤ１４ａおよびＬＥＤ４０ａ〜４０ｌの発光状態／非発光を示している。
【００３１】
図３（Ａ）に示す停止状態では、操作キー２０ａに対応するＬＥＤ４０ｄが非発光状態であり、操作部１８ａ〜１８ｃおよび操作キー２０ｂ〜２０ｉに対応するＬＥＤ４０ａ〜４０ｃ、４０ｅ〜４０ｌは発光状態である。また、ＬＣＤ部１６には停止画面が表示される。ここで、使用者が操作ボタン１８ａ（シーン／操作案内ボタン）を操作すると、ＬＥＤ１４ａが１回のみ第１所定期間発光され、スピーカ２８からは第１ビープー音が出力される。そして、図３（Ｂ）に示すシーンセレクト設定状態に移行する。
【００３２】
図３（Ｂ）に示すシーンセレクト設定状態では、操作ボタン１８ｂおよび操作キー２０ｇ〜２０ｉに対応するＬＥＤ４０ｂ、４０ｊ〜４０ｌは非発光状態であり、操作ボタン１８ａ、１８ｃおよび操作キー２０ａ〜２０ｆに対応するＬＥＤ４０ａ、４０ｃ、４０ｄ〜４０ｉは発光状態である。また、ＬＣＤ部１６にはシーンセレクト設定画面が表示される。ここで、使用者が操作可能な操作キー２０ｄもしくは２０ｆを操作すると、ＬＥＤ１４ａが１回のみ第１所定期間発光され、スピーカ２８からは第１ビープー音が出力される。そして、使用者はシーンセレクト設定画面において録音スタンバイ状態（以後、録音状態と称す）選択し、操作キー２０ｅ（再生／ＯＫキー）を操作することによって、図３（Ｃ）の録音状態に移行する。操作キー２０ｅは操作可能な操作キーであるため、ＬＥＤ１４ａが１回のみ第１所定期間発光され、スピーカ２８からは第１ビープー音が出力される。
【００３３】
図３（Ｃ）、図３（Ｄ）に示す録音状態では、操作キー２０ａ、２０ｃ〜２０ｇに対応するＬＥＤ４０ｄ、４０ｆ〜４０ｊは非発光状態であり、操作ボタン１８ａ〜１８ｃおよび操作キー２０ｂ、２０ｈ、２０ｉに対応するＬＥＤ４０ａ〜４０ｃ、４０ｅ、４０ｋ、４０ｌは発光状態である。また、ＬＣＤ部１６には録音画面が表示される。
【００３４】
ここで、図３（Ｃ）に示すように、操作可能ではないつまり操作しても無効である操作キー２０ｇ（リストキー）が操作されると、ＬＥＤ１４ａが第１所定期間に２回発光し、スピーカ２８からは第２ビープー音が出力される。この場合、操作しても無効である操作キー２０ｇが操作されたため、ＩＣレコーダ１０の動作モードは変更されない。また、図３（Ｄ）に示すように、操作可能な操作ボタン１８ｃ（停止ボタン）が操作されると、ＬＥＤ１４ａが１回のみ第１所定期間発光され、スピーカ２８からは第１ビープー音が出力される。
【００３５】
また、ＩＣレコーダ１０には、消費電力を抑えるための省電力モード設定が設けられている。具体的には、使用者が長時間使用しないときなどを条件に、ＬＣＤ部１６のバックライト１６ａの発光強度を弱めること、およびＬＥＤ４０ａ〜４０ｌを非発光状態にするための設定である。本実施例では、３０秒間使用者がＩＣレコーダ１０を操作しないときに、省電力モードに移行する。
【００３６】
図４（Ａ）、（Ｃ）および（Ｅ）には、省電力モード設定画面が示されている。また、図４（Ｂ）、（Ｄ）および（Ｆ）には、ＩＣレコーダ１０の動作モードが停止状態において、設定された省電力モードに移行されたときのＬＣＤ部１６とＬＥＤ４０ａ〜４０ｌの状態が示されている。
【００３７】
省電力モードの種類としては、“常時オン”、“省電力”および“消灯”が存在し、省電力モードに移行されたときに“常時オン”が設定されている場合には、ＬＣＤ部１６のバックライト１６ａの発光強度を弱め、ＬＥＤ４０ａ〜４０ｌは発光状態を維持させる。ここで、発光状態を維持すべきＬＥＤ４０ａ〜４０ｌは、省電力モードに移行する直前の動作モードにおいて発光状態となっていたＬＥＤ４０ａ〜４０ｌすべてまたはいずれかであり、具体的には、使用者からの操作が有効となる操作ボタン１８ａ〜１８ｃおよび操作キー２０ａ〜２０ｉの背面に配置されたＬＥＤ４０ａ〜４０ｌである。
【００３８】
省電力モードに移行したときに“省電力”が設定されている場合には、ＬＣＤ部１６のバックライト１６ａの発光強度を弱め、ＬＥＤ４０ａ〜４０ｌを非発光状態にさせ、“消灯”が設定されている場合には、バックライト１６ａおよびＬＥＤ４０ａ〜４０ｌを非発光状態にさせる。
【００３９】
上述した省電力モードの種類とＬＣＤ１６部のバックライト１６ａおよびＬＥＤ４０ａ〜４０ｌの発光状態の関係を示すルックアップテーブルＢがフラッシュメモリ３０に格納されている。図１１には、そのルックアップテーブルＢが示されている。ＣＰＵ２４は、ＩＣレコーダ１０が省電力モードに移行したときに、ルックアップテーブルＢを参照して、ＬＣＤ部１６および光源部４０を制御する。
【００４０】
図４（Ｂ）は、省電力モードの種類として“常時オン”が設定されている場合に、省電力モードに移行されたときのＬＣＤ部１６およびＬＥＤ４０ａ〜４０ｌを示している。具体的には、ＬＣＤ部１６のバックライト１６ａの発光強度が弱められた状態であり、ＬＥＤ４０ａ〜４０ｃ、４０ｅ〜４０ｌが発光状態、ＬＥＤ４０ｄが非発光状態であることを示している。
【００４１】
図４（Ｄ）は、省電力モードの種類として“省電力”が設定されている場合に、省電力モードに移行されたときのＬＣＤ部１６およびＬＥＤ４０ａ〜４０ｌを示している。具体的には、ＬＣＤ部１６のバックライト１６ａの発光状態が弱められた状態であり、ＬＥＤ４０ａ〜４０ｌは非発光状態であることを示している。
【００４２】
図４（Ｆ）は、省電力モードの種類として“消灯”が設定されている場合に、省電力モードに移行されたときのＬＣＤ部１６およびＬＥＤ４０ａ〜４０ｌを示している。具体的には、ＬＣＤ部１６のバックライト１６ａは非発光状態であり、ＬＥＤ４０ａ〜４０ｌも非発光状態であることを示している。
【００４３】
次に図６〜図１１を参照して、上述したＬＥＤ４０ａ〜４０ｌの発光処理および、省電力モードにおける処理を説明する。これらの処理は、フラッシュメモリ３０に格納された夫々のプログラムをＣＰＵ２４が実行することにより、実現される。なお、ＣＰＵ２４は、特に例えばマルチタスクＣＰＵであり、複数の処理を並列的に実行することが出来る。
【００４４】
図６は、ＣＰＵ２４が実行するＬＥＤ４０ａ〜４０ｌの発光処理の流れの一部を示すフローチャートである。この発光処理は、フラッシュメモリ３０に格納された発光プログラムをＣＰＵ２４が実行することにより実現される。
【００４５】
ＩＣレコーダ１０に電源が投入されると、ＣＰＵ２４はステップＳ１において、現在の動作モードを検出する。次にステップＳ３へ進み、ルックアップテーブルＡを参照して、現在の動作モードに対応して発光すべきＬＥＤ４０ａ〜４０ｌを決定する。次に、ステップＳ５へ進み、光源部４０へ対し発光状態にすべきＬＥＤ４０ａ〜４０ｌを通知し、発光ＬＥＤリストに登録させて、ステップＳ７へ進む。なお、光源部４０は、登録された発光ＬＥＤリストに従って発光状態にすべきＬＥＤ４０ａ〜４０ｌを発光状態にさせる。
【００４６】
ステップＳ７では、動作モードに変更が有ったか否かを判別し、ＮＯと判別された場合はステップＳ７の判別を繰り返し、ＹＥＳと判別された場合は、ステップＳ１へ戻る。
【００４７】
図７〜図１０は、ＣＰＵ２４が実行する省電力モードにおける処理の流れの一部を示すフローチャートである。この処理は、フラッシュメモリ３０に格納された省電力モードプログラムをＣＰＵ２４が実行することにより実現される。
【００４８】
ＩＣレコーダ１０に電源が投入されると、ステップＳ１１において、ＣＰＵ２４は、ＬＣＤ１６部および光源部４０を制御し、バックライト１６ａおよびＬＥＤ４０ａ〜４０ｌを発光状態にせしめる。なお、光源部４０は、登録された発光ＬＥＤリストに従って発光状態にすべきＬＥＤ４０ａ〜４０ｌを発光状態にさせる。
【００４９】
ステップＳ１５では、ＣＰＵ２４内に設けられた、スタートさせてから３０秒経過するとタイムアップするタイマ２４ａをリセット＆スタートさせ、ステップＳ１７へ進む。ステップＳ１７では、タイマ２４ａがタイムアップしたか否かを判別し、ＮＯと判別された場合は、ステップＳ１９へ進み、操作ボタン群１８または操作パネル２０に対して操作があったか否かを判別する。ステップＳ１９においてＮＯと判別するとステップＳ１７へ戻り、ＹＥＳと判別するとステップＳ１７へ戻り、再び判別を行う。
【００５０】
ステップＳ１７において、ＹＥＳと判別された場合は、ステップＳ２１へ進み、現在の省電力モードに対応するバックライト１６ａおよびＬＥＤ４０ａ〜４０ｌの発光状態／非発光状態を認識する。
【００５１】
ステップＳ２１では、現在設定されている省電力モードの種類を検出する。ステップＳ２１において“常時オン”であると判別されると、ステップＳ２３へ進み、ルックアップテーブルＢを参照して、ＬＣＤ部１６に対してバックライト１６ａの発光強度を弱めるように指示し、光源部４０に対して、ＬＥＤ４０ａ〜４０ｌを常時発光状態にせしめるように指示する。なお、光源部４０は、登録された発光ＬＥＤリストに従って、発光状態にすべきＬＥＤ４０ａ〜４０ｌを、常時発光状態にさせる。
【００５２】
そして、ステップＳ２５へ進み、ステップＳ２５において操作ボタン群１８または操作パネル２０に対して操作が有ったか否かを判別する。ステップＳ２５においてＹＥＳと判別されるまで、この判別を繰り返し、ＹＥＳと判別されると、ステップＳ２７へ進む。ステップＳ２７では、ＬＣＤ部１６に対して、バックライト１６ａの発光強度が弱められる前の発光状態になるように指示する。そしてステップＳ１７へ戻る。
【００５３】
ステップＳ２１において“省電力”であると判別されると、ステップＳ２９へ進み、ルックアップテーブルＢを参照して、ＬＣＤ部１６に対してバックライト１６ａの発光強度を弱めるように指示し、光源部４０に対して、ＬＥＤ４０ａ〜４０ｌが非発光状態になるよう指示する。次に、ステップＳ３１へ進み、ステップＳ３１において操作ボタン群１８または操作パネル２０に対して操作が有ったか否かを判別する。ステップＳ３１においてＹＥＳと判別されるまで、この判別を繰り返し、ＹＥＳと判別されると、ステップＳ３３へ進む。ステップＳ３３では、ＬＣＤ部１６に対して、バックライト１６ａが、発光強度が弱められる前の発光状態になるように指示し、光源部４０に対して、ＬＥＤ４０ａ〜４０ｌが発光状態になるよう指示する。なお、光源部４０は、登録された発光ＬＥＤリストに従って、発光状態にすべきＬＥＤ４０ａ〜４０ｌを、発光状態にさせる。そしてステップＳ１７へ戻る。
【００５４】
ステップＳ２１において“消灯”であると判別されると、ステップＳ３５へ進み、ＬＣＤ部１６および光源部４０に対して、バックライト１６ａおよびＬＥＤ４０ａ〜４０ｌが非発光状態になるように指示する。そして、ステップＳ３７へ進み、ステップＳ３７において操作ボタン群１８または操作パネルに対して操作が有ったか否かを判別する。ステップＳ３７においてＹＥＳと判別されるまで、この判別を繰り返し、ＹＥＳと判別されると、ステップＳ３９へ進む。ステップＳ３９では、ＬＣＤ部１６に対して、バックライト１６ａが、発光強度が弱められる前の発光状態になるように指示し、光源部４０に対して、ＬＥＤ４０ａ〜４０ｌが発光状態になるよう指示する。なお、光源部４０は、登録された発光ＬＥＤリストに従って、発光状態にすべきＬＥＤ４０ａ〜４０ｌを、発光状態にさせる。そしてステップＳ１７へ戻る。
【００５５】
以上、説明したように、本実施例におけるＩＣレコーダ１０は、動作モードに応じて操作可能な、言い換えれば、使用者からの操作が有効となる操作ボタン１８ａ〜１８ｃもしくは操作キー２０ａ〜２０ｉの背面にあるＬＥＤ４０ａ〜４０ｌを発光状態にさせることによって、使用者からの操作が無効となる操作ボタン１８ａ〜１８ｃもしくは操作キー２０ａ〜２０ｉを、使用者が誤って操作してしまう事態を抑制することが出来る。
【００５６】
また、動作モードに応じて、有効となる操作ボタン１８ａ〜１８ｃおよび操作キー２０ａ〜２０ｉが操作された場合と、無効となる操作ボタン１８ａ〜１８ｃおよび操作キー２０ａ〜２０ｉが操作された場合とで、ＬＥＤ１４aの発光状態およびスピーカ２８から出力される音を異ならしめることによって、使用者が本体機器への操作の反応を視覚的および聴覚的に把握することが出来る。
【００５７】
なお、本実施例において、動作モードに応じて、有効となる操作ボタン１８ａ〜１８ｃおよび操作キー２０ａ〜２０ｉが操作された場合に、ＬＥＤ１４ａが１回のみ第１所定期間発光し、無効となる操作ボタン１８ａ〜１８ｃおよび操作キー２０ａ〜２０ｉが操作された場合に、ＬＥＤ１４ａが第１所定期間に２回発光するが、この態様に限らないこと言うまでもない。例えば無効となる操作ボタン１８ａ〜１８ｃおよび操作キー２０ａ〜２０ｉが操作された場合にはＬＥＤ１４ａが第１所定期間に３回発光するようにしてもよい。
【００５８】
また、本実施例では、ＩＣレコーダ１０に本発明を適用した例を挙げたが、ＩＣレコーダに限らずデジタルカメラ、携帯型音楽プレイヤー、携帯電話、ＰＤＡ、デジタルフォトフレームなどさまざまな電子機器で本発明を適用することが出来る。
【符号の説明】
【００５９】
１４      ・・・    光源部
１６      ・・・    ＬＣＤ部
１８      ・・・    操作ボタン群
２０      ・・・    操作パネル
２４      ・・・    ＣＰＵ
３０      ・・・    フラッシュメモリ
４０      ・・・    光源部
【図１】
2011118838.tif 000003
【図２】
2011118838.tif 000004
【図３】
2011118838.tif 000005
【図４】
2011118838.tif 000006
【図５】
2011118838.tif 000007
【図６】
2011118838.tif 000008
【図７】
2011118838.tif 000009
【図８】
2011118838.tif 000010
【図９】
2011118838.tif 000011
【図１０】
2011118838.tif 000012
【図１１】
2011118838.tif 000013